(57)【要約】      （修正有）【課題】従来のカラーマネージメントシステムは印刷装置からの印刷に特化した場合、システム自体が大規模であり、なおかつカラーマネージメントシステムを熟知した使用者が適正にシステムを利用しなかった場合、本来所望する結果を得られない可能性があった。さらに、特定メーカの印刷装置、もしくは特定の機種での印刷結果に近い印刷画像を異なる印刷装置で実現しようとした場合、使用者による色情報の測定や校正等の作業を必要とする。【解決手段】印刷情報を生成する印刷プログラムにおいて、使用する印刷装置とは異なる機種の印刷装置固有の色調を再現する色調再現データと、前記色調再現データに基づき色調を変換する。又、色調を示すRGB（RedGreen&Blue）信号の信号値を各々分割した色調データとして情報量を少なくし、かつ色調再現データ生成時における測色作業をも軽減する。【選択図】図１
2004349937.tif 000002
【特許請求の範囲】
【請求項１】
入力画像情報から、第１の印刷装置に送信される印刷情報を生成する情報処理装置において、
前記第１の印刷装置とは異なる第２の印刷装置固有の色調を再現する色調再現データと、前記色調再現データに基づき色調を変換する色調変換手段とを、
有することを特徴とする情報処理装置。
【請求項２】
入力画像情報から、印刷装置に送信される印刷情報を生成する情報処理装置において、
前記印刷装置とは異なる複数種類の印刷装置固有の色調を再現する複数の色調再現データと、
前記複数の色調再現データから１つを選択する色調再現データ選択手段と、
前記色調再現データ選択手段で選択された色調再現データに基づき色調を変換する色調変換手段とを、有することを特徴とする情報処理装置。
【請求項３】
前記第１の印刷装置により前記第２の印刷装置の色調再現を指定する色調指定手段をさらに備え、
前記色調指定手段により第２の印刷装置の色調が指定された場合、
前記色調変換手段により色調を変換することを特徴とする請求項１に記載の情報処理装置。
【請求項４】
前記複数種類の印刷装置から特定種類の色調再現を指定する色調指定手段をさらに備え、
前記色調指定手段により指定された色調再現データに基づき色調を変換することを特徴とする請求項２に記載の情報処理装置。
【請求項５】
前記色調再現データ数は前記第２の印刷装置固有の色調データ数より小さいことを特徴とする請求項１又は３に記載の情報処理装置。
【請求項６】
前記色調再現データ数は前記第１の印刷装置固有の色調データ数より小さいことを特徴とする請求項１、３、又は５に記載の情報処理装置。
【請求項７】
前記複数の色調再現データ数は使用する印刷装置固有の色調データ数より小さいことを特徴とする請求項２又は４に記載の情報処理装置。
【請求項８】
前記複数の色調再現データ数は対応する複数の印刷装置固有の色調データ数より小さいことを特徴とする請求項２、４、又は７に記載の情報処理装置。
【請求項９】
前記色調再現データは、前記第２の印刷装置に対応した第２の色調データを前記第１の印刷装置が有する第１の色調データに変換した表形式のデータであることを特徴とする請求項１、３、５、又は６に記載の情報処理装置。
【請求項１０】
前記複数の色調再現データは、前記複数の印刷装置の何れかに対応した色調データを使用する印刷装置が有する色調データに変換した表形式のデータであることを特徴とする請求項２、４、７、又は８に記載の情報処理装置。
【請求項１１】
前記色調再現データはＲＧＢ（Ｒｅｄ  Ｇｒｅｅｎ  ＆  Ｂｌｕｅ）信号値で構成されていることを特徴とする請求項１から１０に記載の情報処理装置。
【請求項１２】
前記色調再現データはＲＧＢ信号値が取りうる全ての組み合わせに対する情報を持たないことを特徴とする請求項１１に記載の情報処理装置
【請求項１３】
前記色調再現データはＲＧＢ信号値を構成する各信号値を各々１７分割した４９１３通りの色調を変換したデータであることを特徴とする請求項１２に記載の情報処理装置。
【請求項１４】
前記色調再現データはＲＧＢ信号値を構成する各信号値を各々９分割した７２９通りの色調を変換したデータであることを特徴とする請求項１２に記載の情報処理装置。
【請求項１５】
前記色調再現データはＲＧＢ信号値を構成する各信号値を各々５分割した１２５通りの色調を変換したデータであることを特徴とする請求項１２に記載の情報処理装置。
【請求項１６】
入力画像情報から、第１の印刷装置に送信される印刷情報を生成する情報処理装置の印刷プログラムにおいて、
前記第１の印刷装置とは異なる第２の印刷装置固有の色調を再現する色調再現データを読み出すステップと、前記色調再現データに基づき色調を変換する色調変換ステップとを有することを特徴とする印刷プログラム。
【請求項１７】
入力画像情報から、印刷装置に送信される印刷情報を生成する情報処理装置の印刷プログラムにおいて、
前記印刷装置とは異なる複数種類の印刷装置固有の色調を再現する複数の色調再現データを読み出すステップと、
前記複数の色調再現データから１つを選択する色調再現データ選択ステップと、前記色調再現データ選択手段で選択された色調再現データに基づき色調を変換する色調変換ステップとを有することを特徴とする印刷プログラム。
【請求項１８】
前記第１の印刷装置により前記第２の印刷装置の色調再現を指定する色調指定ステップをさらに備え、
前記色調指定ステップにより前記第２の印刷装置の色調が指定された場合、
前記色調変換ステップにより色調を変換することを特徴とする請求項１６に記載の印刷プログラム。
【請求項１９】
前記複数種類の印刷装置から特定種類の色調再現を指定する色調指定ステップをさらに備え、
前記色調指定ステップにより指定された色調再現データに基づき色調を変換することを特徴とする請求項１７に記載の印刷プログラム。
【発明の詳細な説明】
【０００１】
【産業上の利用分野】
本発明は、入力として画像の画素値を受け、印刷装置の特性に適合した画素値に補正を行った画像を出力するような処理装置及び印刷プログラムに関するものである。
【０００２】
【従来の技術】
従来、印刷される画像情報を生成する目的で画像処理装置および印刷プログラムに入力される画像は、Ｒ（赤）、Ｇ（緑）、Ｂ（青）の３つの信号から構成され、３色はそれぞれ画像を形成する画素毎に複数ビットの情報量を持ち、その情報量は１色あたり８ビット（０〜２５５：２５６値）の場合が多い。
【０００３】
また画像処理装置および印刷プログラムにおいて前述のＲＧＢ信号は、使用する印刷装置特有の信号に変換される。
具体的には、印刷装置が記録ヘッドＣ（シアン）、Ｍ（マゼンタ）、Ｙ（イエロー）、Ｋ（ブラック）の４色を用いて記録媒体上に画像を形成する場合、画像処理装置および印刷プログラムはＲＧＢ信号をＣＭＹＫ信号に変換する。
【０００４】
更に印刷装置がインクジェット記録装置のように記録媒体上に記録材を付与する（＝１）、付与しない（＝０）の２通りの記録手段しか持たない場合、ＣＭＹＫ信号に変換された情報量を（０／１）の二値に変換する必要がある。
【０００５】
この処理を二値化処理と呼び、既に公知の技術である。
また、記録材の付与手段が２通り以上の場合、該組み合わせに準じたｎ値化処理を行えばよい。
【０００６】
近年インクジェットに代表される記録装置では、記録ヘッドをＣＭＹＫの４色に加えてＣおよびＭの記録材の記録濃度よりも低い薄い色の記録材を付与可能な記録ヘッドを加え、記録媒体上に形成された画像の品位を高めている装置もある。
【０００７】
この場合、画像処理装置および印刷プログラムは入力信号ＲＧＢをＣＭＹＫｃｍ（小文字は薄い記録材用情報）に変換を行う必要がある。
【０００８】
さらにインクジェットに代表される記録装置では、記録装置の製造会社や、機種によりその色再現性が異なり、同一の画像を入力として印刷を行っても同一の色調の画像が得られないことが多い。
【０００９】
これは、各社独自の技術により画質の向上を図っていることに起因しており、その際に色再現性に関しての指針が異なっていることも原因である。
【００１０】
同一メーカであっても、機種によって色再現性が異なる場合が多い。
例示すれば、画像を形成する方式が異なる場合や、印刷媒体が異なる場合などが挙げられる。
【００１１】
以上のような背景を基に、異なるメーカ、異なる機種間においても一定の色再現性を持ち、色調を統一して印刷を行う方法がカラーマネージメントシステムとして既に公知の技術である。かかるカラーマネージメントシステムを利用することにより、画像の入力装置から出力装置までの色管理を行い、どのような入力装置からどのような出力装置へ画像を出力しても一定の色再現性を持ち、統一した色調の下で画像を管理することができる。
（例えば特許文献１参照）
【特許文献１】
特開２００２−２０９１１６（第４〜５頁、図２，３）
【００１２】
【発明が解決しようとする課題】
しかし、上記従来例のカラーマネージメントシステムは印刷装置からの印刷に特化した場合、システム自体が大規模であり、なおかつカラーマネージメントシステムを熟知した使用者が適正にシステムを利用しなかった場合、本来所望する結果を得られない可能性があった。
【００１３】
さらに、特定メーカの印刷装置、もしくは特定の機種での印刷結果に近い印刷画像を異なる印刷装置で実現しようとした場合、使用者による色情報の測定や校正等の作業を必要とする。
【００１４】
本発明の目的は、複数の異なる印刷装置特有の色調を再現するために、複数の色調再現データから選択的に色調再現データを選択し、印刷装置特有の色調へ変換する色調変換手段により、色調を再現される印刷装置で印刷したような印刷結果になるように、色調を再現する印刷装置で印刷するための印刷情報をカラーマネージメントシステムを利用せずとも容易に生成できるようにすることにある。
【００１５】
又、発明の目的は、色調出力値の一部を想定することによって色調再現データの情報量を少なくし、かつ色調再現データ生成時における測色作業を軽減することにある。
【００１６】
【課題を解決するための手段および作用】
上記目的を達成するため、本発明は、入力画像情報から、第１の印刷装置に送信される印刷情報を生成する情報処理装置において、
前記第１の印刷装置とは異なる第２の印刷装置固有の色調を再現する色調再現データと、前記色調再現データに基づき色調を変換する色調変換手段とを有することを特徴とする。
【００１７】
又、本発明は、入力画像情報から、印刷装置に送信される印刷情報を生成する情報処理装置において、
前記印刷装置とは異なる複数種類の印刷装置固有の色調を再現する複数の色調再現データと、前記複数の色調再現データから１つを選択する色調再現データ選択手段と、前記色調再現データ選択手段で選択された色調再現データに基づき色調を変換する色調変換手段とを有することを特徴とする。
【００１８】
さらに発明による情報処理装置は、前記複数の色調再現データは、前記複数の印刷装置の何れかに対応した色調データを使用する印刷装置が有する色調データに変換した表形式のデータであることを特徴とする。
【００１９】
又、本発明による情報処理装置は、前記色調再現データはＲＧＢ（Ｒｅｄ  Ｇｒｅｅｎ  ＆  Ｂｌｕｅ）信号の信号値を各々分割した色調を変換したデータで、且つＲＧＢ信号の各信号値が８ビットの場合では、２５６階調を１７分割、９分割、５分割した値のみを保持し、その分割した値に該当しない入力値の場合には、補間演算等を用いて、出力値を想定することによって色調再現データの情報量を少なくし、かつ色調再現データ生成時における測色作業を軽減することを特徴とする。
又、本発明による印刷プログラムは、入力画像情報から、第１の印刷装置に送信される印刷情報を生成する情報処理装置の印刷プログラムにおいて、前記第１の印刷装置とは異なる第２の印刷装置固有の色調を再現する色調再現データを読み出すステップと、前記色調再現データに基づき色調を変換する色調変換ステップとを有することを特徴とする。
又、本発明による印刷プログラムは、入力画像情報から、印刷装置に送信される印刷情報を生成する情報処理装置の印刷プログラムにおいて、前記印刷装置とは異なる複数種類の印刷装置固有の色調を再現する複数の色調再現データを読み出すステップと、前記複数の色調再現データから１つを選択する色調再現データ選択ステップと、前記色調再現データ選択手段で選択された色調再現データに基づき色調を変換する色調変換ステップとを有することを特徴とする。
又、本発明による印刷プログラムは、前記第１の印刷装置により前記第２の印刷装置の色調再現を指定する色調指定ステップをさらに備え、前記色調指定ステップにより前記第２の印刷装置の色調が指定された場合、前記色調変換ステップにより色調を変換することを特徴とする。
又、本発明による印刷プログラムは、前記複数種類の印刷装置から特定種類の色調再現を指定する色調指定ステップをさらに備え、前記色調指定ステップにより指定された色調再現データに基づき色調を変換することを特徴とする。
【００２０】
【発明の実施の形態】
本発明の実施形態を以下に図を用いて詳細に説明する。
【００２１】
本発明の印刷プログラムを搭載する情報処理装置の電気的なブロッ  ク図を図１に示す。
【００２２】
情報処理装置には中央演算装置１０１により制御されるＲＡＭ１０２、ＲＯＭ１０３、記憶装置１０４、標準入出力１０５、通信装置１０９より構成され、記憶装置１０４は、主にハードディスク装置、フレキシブルディスク装置等が接続され、後述される印刷プログラム及び各種テーブルが記憶されている。
【００２３】
図２、図３、図４及び図６に示す印刷プログラムは、前記記憶装置１０４、もしくはＲＯＭ１０３の記憶媒体内にプログラムとして格納されており、該プログラムを中央演算装置１０１からアクセス可能なプログラム格納領域であるＲＡＭ１０２にロードすることにより実行される。
【００２４】
また印刷プログラムは、情報処理装置に接続された通信装置１０９を利用し、ネットワーク経由で取得しても構わない。
【００２５】
印刷プログラムの形態は記憶媒体の種類に依存せず、情報処理装置の中央演算装置１０１が該プログラムを実行可能にする記録媒体の読み込み手段が具備されていれば本発明は適用可能である。
【００２６】
標準入出力１０５には、情報処理装置を制御するキーボード、マウスに代表される入力デバイス、コンピュータの出力を表示するモニタに代表される出力デバイスが接続され、該入出力装置を用いて情報処理装置もしくは印刷プログラムを制御、操作する。
【００２７】
情報処理装置で動作する印刷プログラムにより生成された印刷情報は、通信装置１０９を経由して、印刷装置１１０に送られる。
【００２８】
通信装置１０９は、主にパラレルインターフェースや、シリアルインターフェース、ＵＳＢ、ＩＥＥＥ１３９４、或いはネットワーク等の通信デバイスを利用し、印刷装置１１０と接続される。
【００２９】
次に、情報処理装置により本発明の印刷プログラムによる印刷方法に関して図２を用いて説明する。
【００３０】
情報処理装置は、接続された多様な装置を制御するために通常、ＯＳ（オペレーティングシステム）と呼称されるソフトウェアに基づき動作する。
【００３１】
そのためコンピュータ装置上でＯＳが動作している環境では、ソフトウェアプログラムは該ＯＳの提供するプログラミング環境上で動作することが前提となる。
本実施例では、該ＯＳをＭｉｃｒｏｓｏｆｔ  Ｗｉｎｄｏｗｓ（ＴＭ）であるとして説明を行う。
【００３２】
アプリケーションプログラム２０１により印刷装置１１０にて印刷したい画像を生成し、印刷を実行する場合、入力画像情報（１）２０２は、アプリケーションプログラム２０１より、ＯＳのグラフィック処理プログラム（Ｇｒａｐｈｉｃ  Ｄｅｖｉｃｅ  Ｉｎｔｅｒｆａｃｅ）２０３を経由してデバイスドライバ２１５へと送られる。
【００３３】
このとき、デバイスドライバ２１５は、印刷装置２１４で印刷可能な印刷情報を生成することよりプリンタドライバと呼称され、前述の印刷プログラムに対応する。
【００３４】
プリンタドライバ２１５は、グラフィック処理プログラム（Ｇｒａｐｈｉｃ  Ｄｅｖｉｃｅ  Ｉｎｔｅｒｆａｃｅ）２０３より、入力画像情報を受け取り、レンダリング処理部（工程）２０４にて、印刷装置固有の解像度への画像変換、印刷装置２１４に装填されている印刷媒体の情報を基に画像サイズの変換処理等を行い、入力画像情報（２）２０５を得る。
【００３５】
入力画像情報（２）２０５は、色補正処理部（工程）２０６により、印刷装置１１０が具備する記録ヘッド分の画像情報に分離し、印刷装置固有の色変換処理（例えばＲＧＢ⇒ＣＭＹＫ）を施した後、出力画像情報（１）２０７を出力する。
【００３６】
出力画像情報（１）２０７は、ｎ値化処理部（工程）２１０で使用するハーフトーン処理の処理方法に依存する階調特性や、印刷装置１１０で印刷される記録媒体、記録ヘッド等の特性に依存した非線形な階調特性を再度、線形な階調特性に変換するために出力階調補正部（工程）２０８により、変換された出力画像情報（２）２０９を得る。
【００３７】
出力画像情報（２）２０９は、ｎ値化処理部２１０にて印刷装置１１０が有する記録ヘッドの各インク色に相当するｎ値化処理を行い、出力画像情報（３）２１１を出力する。
【００３８】
出力画像情報（３）２１１は、コマンド生成部（工程）２１２で印刷装置１１０が受信可能な印刷情報形式のコマンド２１３に変換後、通信装置１０９を介して印刷装置１１０に転送される。
【００３９】
次に色補正処理部（工程）、出力階調補正部（工程）、ｎ値化処理部（工程）について図３を用いて詳細に説明する。
【００４０】
レンダリング処理部（工程）２０４により生成された入力画像情報（２）２０５は、ＲＧＢ３色から構成され、色補正処理部（工程）２０６で、ＣＭＹＫ（シアン、マジェンタ、イエロー、ブラック）４色に変換が行われる。
【００４１】
本実施例で使用する印刷装置は、通常のＣＭＹＫに加えてシアン、マジェンタの記録濃度より約１／２となるような記録濃度の低い淡シアン、淡マゼンタの記録材を併せて具備しているため、色補正処理部（工程）２０６は、ＲＧＢ→ＣＭＹＫｃｍ変換（小文字のｃｍはそれぞれ淡シアン、淡マゼンタ記録材に相当する）を行うことになる。
【００４２】
印刷装置１１０がＣＭＹＫｃｍの記録材を具備する場合においても、印刷データによってはＣＭＹＫのみで印刷することや、何れかの記録材１色のみで印刷することもあり、その場合は使用する色に対応した出力画像情報（１）２０７が生成される。
【００４３】
色補正処理部（工程）２０６により印刷装置１１０で使用する記録材に対応する出力画像情報（１）２０７は、前記の理由により、出力階調補正２０８を行う必要があり、色補正処理部（工程）２０６と同様に、記憶手段に記憶されている出力階調補正テーブル３０１を参照し、変換を行う。
【００４４】
この際、印刷時に使用する記録材の種類がＣＭＹＫｃｍの６色で構成されている場合、記録媒体に記録材を最後に付与する記録ヘッドの色情報の階調特性を補正し、記録材種類が６色以外の場合には出力階調補正のみ実行して出力画像情報（２）２０９を生成する。
【００４５】
出力画像情報（２）２０９は、ｎ値化処理部２１０により印刷装置１１０を構成する記録ヘッドの記録材付与組み合わせに相当する値にｎ値化処理マスクテーブル３０２（記憶手段に記憶されている）を用いて変換される。
【００４６】
本実施例においては、印刷装置１１０を構成する記録ヘッドの記録材付与組み合わせは、記録材を付与する、しないの２通りしかなく、２値となるため、２値化処理が行われる。
【００４７】
ｎ値化処理部（工程）２１０により生成された出力画像情報（３）２１１はコマンド変換部へと渡され印刷装置で印刷可能な印刷情報となる。
【００４８】
次に、使用する（印刷を実行する）印刷装置４０１とは異なる他機種の印刷装置４０２の色調を、使用する印刷装置で再現する説明を行う。
本発明では、記憶手段に記憶される色調変換テーブルを使用して、実現する例について図４を用いて説明する。
【００４９】
同図において、色調変換テーブル４０３は、使用する（印刷を実行する）印刷装置４０１とは異なる他機種の印刷装置４０２の色調を再現するための変換テーブルである。以下そのテーブルの作成について説明する。
【００５０】
使用する印刷装置４０１を用いて、他機種の印刷装置４０２の色調を再現するためには、あらかじめ他機種の印刷装置４０２で印刷した時の色調を調べ、使用する印刷装置４０１で入力画像情報のＲＧＢ値がどのような値の時にどのようなＲＧＢ値を出力すればよいかを求める必要があり、この変換を行うために参照する情報が色調変換テーブル４０３である。
【００５１】
まず、入力画像情報として、ＲＧＢ各色１７階調（１７×１７×１７＝４９１３色）のカラーパッチデータ４０４の各々を他機種の印刷装置４０２で印刷する。
次に、使用する印刷装置４０１を用いて、ＲＧＢ各色３３階調（３３×３３×３３＝３５９３７色）  のカラーパッチデータ４０３を印刷する。
【００５２】
他機種の印刷装置４０２で印刷したカラーパッチデータ４０４と、使用する印刷装置４０１で印刷したカラーパッチデータ４０３の印刷後、各々のカラーパッチデータを測色機にて測色を行う（４０５）。
【００５３】
使用する印刷装置４０１で他機種の印刷装置４０２よりも多くのカラーパッチデータを印刷する理由は、他機種の印刷装置４０２で印刷したカラーパッチデータ４０４に一致する色調のカラーパッチを、使用する印刷装置４０１で印刷したカラーパッチデータ４０３から選択しなければならず、より近い色調のカラーパッチデータを選択するためである。
【００５４】
以上のような理由より、使用する印刷装置では、ＲＧＢ各色２５６階調（２５６×２５６×２５６＝１６７７７２１６色）のカラーパッチデータを印刷するのが理想となるが、１６７０万以上ものカラーパッチデータを印刷する行為と、測色する作業は現実的でないため、本実施例においては、他機種の印刷装置４０２の情報量である４９１３色に対して、３５９３７色と約７倍以上の情報量の中から色調の一致するカラーパッチを選択している。
【００５５】
よって、使用する印刷装置４０１において印刷するカラーパッチデータ４０３は、他機種の印刷装置４０２で印刷したカラーパッチデータ４０４より多いという条件を満たせば、ＲＧＢ各色３３階調（３３×３３×３３＝３５９３７色）以外でもよい。
【００５６】
カラーパッチデータの測色（４０５）により、カラーパッチデータ１色毎の測色値が判明する。
本実施例においては均等色空間であるＬ＊ａ＊ｂ＊空間上の数値が測色値として得られるため、当該値を利用する。（４０６）
測色により得られたカラーパッチデータの１色ごとのＬ＊ａ＊ｂ＊値を入力画像情報値であるＲＧＢ値と関連付け、使用する印刷装置４０１で印刷したカラーパッチデータ４０３の３５９３７色分の情報から、他機種の印刷装置４０２で印刷したカラーパッチ４０４から１色毎に一致する色を検出し、カラーパッチ４０４を構成する４９１３色全ての色を検出するまで繰り返す。（４０８−Ｙｅｓ）
次に他機種の印刷装置４０２で印刷したカラーパッチデータ４０４の入力画像情報値を入力値として、Ｌ＊ａ＊ｂ＊値で一致した色調を合わせる側の印刷装置４０２で印刷したカラーパッチデータ４０３の入力画像情報値を出力値とした色調変換テーブルを生成する。（４０９）
そして、複数の色調変換テーブルを作成して、機種が異なる複数種の印刷装置の色調を再現する印刷を行うための色調変換テーブルを実装して、色調変換テーブルの使い方を説明する。図５は色調変換テーブルの選択画面を示す。
【００５７】
印刷装置＃１〜＃６まで機種の異なる印刷装置を列挙した選択欄５０１から任意の印刷装置をカーソルを移動して選択することにより対応した色調変換テーブル５０２を決定することができる。
【００５８】
本実施例においては、異なる印刷装置の列挙数は＃１〜＃６までの６つであるが、列挙される印刷装置数がいくつであっても本発明は適用可能である。
【００５９】
次に、色調変換テーブルを図２の色補正処理部に取り込んだ説明の詳細を図６、７、及び図８を用いて行う。
【００６０】
レンダリング処理部２０４にて生成された入力画像情報（２）６０１は、色調変換部（工程）６０２により、記憶手段に記憶され、異なる印刷装置の色調を再現する色調変換テーブル６０３を用いて色変換が行われ入力画像情報（２’）６０４を得る。
【００６１】
この際、色調変換部（工程）６０２では、色調変換テーブル６０３の１７値もしくは９値、５値を格子点とする立方体６０９と見なして、入力画像情報であるＲＧＢ８ビット値から出力値を求める。
【００６２】
入力値が格子点上に存在しない場合には、補間処理により出力値を求める。
補間処理に関しては、様々な文献等で公知の技術であり本件では言及しない。
【００６３】
図７、８は格子点が１７値、９値、５値の時の格子点と、格子点上の入力値に対する出力値を求める色調変換テーブルの内容を示す。
【００６４】
本実施例においては、格子点は入力画像情報ＲＧＢ信号の各８ビット（０〜２５５）
を均等に分割しており、１７階調の格子点７０１では、
０，１５，３１，４７，６３，７９，９５，１１１，１２７，１４３，１５９，１７５，１９１，２０７，２２３，２３９，２５５の１７点となる。
そのため、格子点に対応する色調補正テーブル８０１も同様に上記１７点に対する出力値を持つ必要がある。
【００６５】
各色が１７点の格子点を持つ場合、取りうる値は１７×１７×１７＝４９１３点であり、色調補正テーブル（図８、８０１）の値と一致する。
【００６６】
９階調の格子点７０２の場合、０，３１，６３，９５，１２７，１５９，１９１，２２３，２５５の９点であり、格子点に対応する色調補正テーブルを用意し対応することも可能であるが、本実施形態においては、１７階調の格子点７０１が９階調の格子点７０２の値を全て含むため、１７階調用の色調補正テーブル（図８、８０１）をそのまま利用可能である。
【００６７】
５階調の格子点７０３の場合も同様に０，６３，１２７，１９１，２５５の５点であり、格子点に対応する色調補正テーブルを用意し対応することも可能であるが、本実施形態においては、１７階調の格子点７０１が５階調の格子点７０３の値を全て含むため、１７階調用の色調補正テーブル（図８、８０１）をそのまま利用可能となる。
【００６８】
１７階調の格子点による変換のみならず、９階調、５階調の格子点をもつ変換を行う理由は、色調補正テーブル７０４のデータサイズを小さくすることが可能であるという事と、図４を用いて説明したように、他機種（色調を合わせられる側）の印刷装置４０２で印刷する必要があるカラーパッチデータ４０４は格子点分の情報と一致する。
【００６９】
よって、階調数が小さくなれば格子点が減少し、他機種の印刷装置４０２で印刷する必要があるカラーパッチデータ４０４の印刷数、測色数を少なくすることが可能になる。
【００７０】
しかし、格子点が粗くなると変換後の精度が低下し、画質の低下に繋がるため、本実施形態においては画質の品位をあまり要求されない高速印刷（ドラフト）モード等で使用する。
【００７１】
さらに、格子点上に存在しない入力がなされた場合に必要となる補間処理等のアルゴリズムを変更するなどの対応を図ることにより、処理速度の向上を図ることもできる。
【００７２】
本実施形態のように通常は１７階調の格子点による変換を行い、高速印刷（ドラフト）では階調数を落とす（粗くする）という処理を行う場合、全ての階調に対して色調変換テーブルを持つことは非効率的である。
【００７３】
そのため、本実施形態では色調変換テーブルは１７階調の格子点分持ち、階調数が少なくなった場合には、必要な格子点上の情報のみを色調変換テーブルから抽出して使用し、色調変換テーブルを全ての階調に対して持たなくてもよい構成となっている。
【００７４】
さらに本実施形態においては、格子点を０〜２５５までの間隔で均等に配置したが、不均等でも構わない。
【００７５】
ただし、階調数を色調変換テーブルを各階調で共通に使用する場合には、一番多い階調数の格子点に他の階調数の格子点が含まれていなければならない。
【００７６】
また本実施形態においては、階調数を１７階調、９階調、５階調の３種類に設定したが、それ以外の階調数においても本発明は適用可能である。
【００７７】
変換された入力画像情報（２’）６０４は、補色情報生成部６０５によりＲＧＢ→ＣＭＹ信号へ変換され、出力画像情報（１’）６０６を生成し、黒情報生成部６０７により、ＣＭＹ信号からＫ信号を生成して出力画像情報（１）６０８を出力する。
【００７８】
【発明の効果】
以上説明したように、第１、第２の発明によれば、複数の異なる印刷装置特有の色調を再現するために、複数の色調再現データから選択的に色調再現データを選択し、印刷装置特有の色調へ変換する色調変換手段により、色調を再現される印刷装置で印刷したような印刷結果になるように、色調を再現する印刷装置で印刷するための印刷情報をカラーマネージメントシステムを利用せずとも容易に生成できる。
【００７９】
第３、第４、第５、第６、第７、第８の発明によれば、色調再現データは入力画像情報を構成するＲＧＢ信号値に対して色調を再現される印刷装置に近づけるように、色調を再現する印刷装置がどのような色信号で印刷を行えばよいかを示す色変換情報であり、本来は色変換情報として入力画像情報を構成するＲＧＢ信号値の全ての組み合わせに対する出力値を持つ必要がある。
しかし、この場合ＲＧＢ信号値の各信号値の情報量が８ビットであると２５６の３乗分のデータを保持しなくてはならなくなる。
【００８０】
そのため、例示したＲＧＢ信号の各信号値が８ビットの場合では、２５６階調を１７分割、９分割、５分割した値のみを保持し、その分割した値に該当しない入力値の場合には、補間演算等を用いて、出力値を想定することによって色調再現データの情報量を少なくし、かつ色調再現データ生成時における測色作業を軽減する。
【００８１】
第９、第１０の発明によれば、第５の発明で用いた１７分割された４９１３通りの色調再現データを用いて、９分割、５分割時の色調再現データを利用しているのと同等の処理を行うことにより、色調再現テータサイズの低減を図る。
【００８２】
【図面の簡単な説明】
【図１】本発明の実施例に係わる印刷プログラムを適用可能な情報処理装置のブロック図と、印刷装置との接続を示す図である。
【図２】本発明の実施例に係わる情報処理装置で動作する印刷プログラムの各処理フローと、各処理に対応する画像情報を示す図である。
【図３】本発明の実施例に係わる情報処理装置で動作する印刷プログラムの      色補正処理部、出力階調補正部、ｎ値化処理部の詳細を示す処理フロー図である。
【図４】本発明の実施例に係わる色調変換テーブル生成までの過程を示した      説明図である。
【図５】本発明の実施例に係わる複数の印刷装置に対応した色調変換テーブルの選択手段を示した説明図である。
【図６】本発明の実施例に係わる色補正処理部の処理内容を詳細に示した処理フロー図である。
【図７】本発明の実施例に係わる色調変換処理における階調の分割方法を示す説明図である。
【図８】本発明の実施例に係わる色調変換処理で生成された色調変換テーブルの説明図である。
【符号の説明】
１０１・・・コンピュータ装置内中央演算装置
１０２・・・コンピュータ装置内ＲＡＭ
１０３・・・コンピュータ装置内ＲＯＭ
１０４・・・コンピュータ装置内記憶装置
１０５・・・コンピュータ装置内標準入出力
１０６・・・キーボード
１０７・・・マウス
１０８・・・モニタ
１０９・・・コンピュータ装置内通信装置
１１０・・・印刷装置
２０１・・・アプリケーションソフトウェア
２０３・・・情報処理装置で稼働するＯＳのグラフィック描画エンジン
２０４・・・プリンタドライバ内レンダリング処理部
２０６・・・プリンタドライバ内色補正処理部
２０８・・・プリンタドライバ内出力階調補正部
２１０・・・プリンタドライバ内ｎ値化処理部
２１２・・・プリンタドライバ内プリンタコマンド生成部
【図１】
2004349937.tif 000003
【図２】
2004349937.tif 000004
【図３】
2004349937.tif 000005
【図４】
2004349937.tif 000006
【図５】
2004349937.tif 000007
【図６】
2004349937.tif 000008
【図７】
2004349937.tif 000009
【図８】
2004349937.tif 000010